(57)【特許請求の範囲】
【請求項１】
スライドスタッキングする際に、スライド方向の前方に位置する上に位置する運搬用容器の支脚が入り込むように、スライド方向の前後に位置するフランジに、前記運搬用容器の内側が開放された凹部を形成するとともに、スタッキング状態においては、前記凹部の底面に、スライド方向の前後に位置する支脚が載置されるように構成されていることを特徴とする運搬用容器。
【発明の詳細な説明】
【０００１】
【発明の属する技術分野】
本発明は、空の運搬用容器（以下、運搬用容器を、単に、「容器」ともいう。）を積み重ねる際には、上に位置する容器のほぼ半分ほどが、下に位置する容器に嵌め込まれ、所謂、ネスティングされ、また、内容物が収納された容器を積み重ねる際には、上に位置する容器が、下に位置する容器のフランジに載置されて、嵌め込まれないように積み重ねる、所謂、スタッキングされることが可能な容器に関するものである。
【０００２】
【従来の技術】
容器の各側壁の両端部付近に、側壁の内壁に形成された容器の深さの略半分の深さを有するポケットと側壁の外壁に形成された支脚との組み合わせからなるポケット・支脚部を、それぞれ、配設した容器が知られている。このような容器は、下に位置する容器と上に位置する容器とが、同じ向きに積み重ねられた際には、下に位置する容器の開口部に形成されたフランジ上に、上に位置する容器の支脚が載置されて、上に位置する容器が、下に位置する容器に嵌め込まれないように積み重ねられる、所謂、スタッキングされ、また、スタッキング状態から、上に位置する容器を、平面的に、１８０度回転させることにより、上に位置する容器の支脚が、下に位置する容器のポケットに挿入されて、上に位置する容器が、下に位置する容器に嵌め込まれる、所謂、ネスティングされることになる。
【０００３】
【発明が解決しようとする課題】
図５〜図８を用いて、本発明が解決しようとする課題について説明する。
【０００４】
容器は、底部１、外側にやや傾斜した相対する長辺側の側壁２ａ、２ｂ（以下、単に、「長側壁」という。）及び同じく外側にやや傾斜した相対する短辺側の側壁２ｃ、２ｄ（以下、単に、「短側壁」という。）とから構成されている。３は、容器の開口部を取り囲むように、長側壁２ａ、２ｂ及び短側壁２ｃ、２ｄの上端に形成されたフランジ３である。４ａは、長側壁２ａ、２ｂの中程及び短側壁２ｃ、２ｄの中程の一部に形成された中間水平リブであり、４ｂは、フランジ３と中間水平リブ４ａの間に形成された上部水平リブであり、４ｃは、フランジ３、中間水平リブ４ａ及び上部水平リブ４ｂを、適宜、連結する垂直リブである。
【０００５】
ｐ１は、フランジ３から底部１に向かって、長側壁２ａ、２ｂの一方の隅部寄りの内壁に形成された縦長の凹部からなるポケットであり、容器の略半分の深さを有している。ｃ１は、ポケットｐ１と適当な間隙を置いて或いはポケットｐ１に隣接して、ポケットｐ１より、容器の中央部寄りの長側壁２ａ、２ｂの外壁に形成された支脚であり、支脚ｃ１は、中間水平リブ４ａから底部１付近まで延びるように形成されている。上記のポケットｐ１の内幅は、上記の支脚ｃ１の外幅より広く形成されている。以下、このような、幅広のポケットｐ１と幅狭の支脚ｃ１との組み合わせを幅広ポケット・支脚部Ｓ１と称する。
【０００６】
ｃ２は、長側壁２ａ、２ｂのもう一方の隅部寄りの外壁に形成された、上述した支脚ｃ１より、幅広の支脚であり、支脚ｃ２は、中間水平リブ４ａから底部１付近まで延びるように形成されている。ｐ２は、支脚ｃ２と適当な間隙を置いて或いは支脚ｃ２に隣接して、支脚ｃ２より、容器の中央部寄りの長側壁２ａ、２ｂの内壁に形成された縦長の凹部からなるポケットであり、容器の略半分の深さを有しており、該ポケットｐ２は、幅広ポケット・支脚部Ｓ１のポケットｐ１の内幅より狭い内幅を有している。以下、このような、幅広の支脚ｃ２と幅狭のポケットｐ２との組み合わせを幅広支脚・ポケット部Ｓ２と称する。なお、支脚ｃ１、ｃ２の下面には、支脚ｃ１、ｃ２の幅間隔でもって、下方に突起ｃ１’、ｃ２’が延設されており、この突起ｃ１’、ｃ２’は、スタッキングの際に、下に位置する容器内に挿入され、上に位置する容器の横移動を少なくするような機能を有するものである。
【０００７】
幅広ポケット・支脚部Ｓ１の幅狭の支脚ｃ１の外幅は、幅広支脚・ポケット部Ｓ２の幅狭のポケットｐ２の内幅より狭く形成されており、従って、ネスティングの際には、幅広ポケット・支脚部Ｓ１の幅狭の支脚ｃ１が、幅広支脚・ポケット部Ｓ２の幅狭のポケットｐ２に挿入できるように構成されている。また、幅広支脚・ポケット部Ｓ２の幅広の支脚ｃ２の外幅は、幅広ポケット・支脚部Ｓ１の幅広ポケットｐ１の内幅より狭く形成されており、従って、ネスティングの際には、幅広支脚・ポケット部Ｓ２の幅広の支脚ｃ２が、幅広ポケット・支脚部Ｓ１の幅広のポケットｐ１に挿入できるように構成されている。
【０００８】
上述した幅広ポケット・支脚部Ｓ１は、相対する長側壁２ａ、２ｂの一方の隅部付近に、互いに対向して配置されており、また、相対する長側壁２ａ、２ｂのもう一方の隅部付近には、互いに対向するように、幅広支脚・ポケット部Ｓ２が配置されている。
【０００９】
また、相対する短側壁２ｃ、２ｄのうち、長側壁２ａ、２ｂに配置された幅広ポケット・支脚部Ｓ１に近い方の短側壁２ｃの隅部付近には、幅広支脚・ポケット部Ｓ２が配置されており、また、長側壁２ａ、２ｂに配置された幅広支脚・ポケット部Ｓ２に近い方の短側壁２ｄの隅部付近には、幅広ポケット・支脚部Ｓ１が配置されている。
【００１０】
なお、上述した、長側壁２ａ、２ｂ及び短側壁２ｃ、２ｄに配設された幅広ポケット・支脚部Ｓ１及び幅広支脚・ポケット部Ｓ２の配置は、上述した配置に限定されるものではなく、下に位置する容器と上に位置する容器とが、同じ向きに積み重ねられた際には、下に位置する容器の開口部に形成されたフランジ上に、上に位置する容器の支脚が載置されて、上に位置する容器が、下に位置する容器に嵌め込まれないように積み重ねられる、所謂、スタッキングされ、また、スタッキング状態から、上に位置する容器を、平面的に、１８０度回転させることにより、上に位置する容器の支脚が、下に位置する容器のポケットに挿入されて、上に位置する容器が、下に位置する容器に嵌め込まれる、所謂、ネスティングされるような配置であればどのような配置でもよい。
【００１１】
下に位置する容器と上に位置する容器とが、同じ向きになるように、即ち、下に位置する容器の幅広ポケット・支脚部Ｓ１の上方に、上に位置する容器の幅広ポケット・支脚部Ｓ１が位置し、また、下に位置する容器の幅広支脚・ポケット部Ｓ２の上方に、上に位置する容器の幅広支脚・ポケット部Ｓ２が位置するように、容器を積み重ねると、上に位置する容器の合計８本の支脚ｃ１、ｃ２が、フランジ３に載置されるので、下に位置する容器の上に、上に位置する容器がスタッキングされることになる。なお、スタッキングの際には、上に位置する容器の底部１が、若干、下に位置する容器の中に入るように構成されている。
【００１２】
また、スタッキング状態から、上に位置する容器を、平面的に、１８０度回転させて、下に位置する容器と上に位置する容器とが、異なる向きになるように、即ち、下に位置する容器の幅広ポケット・支脚部Ｓ１の上方に、上に位置する容器の幅広支脚・ポケット部Ｓ２が位置し、また、下に位置する容器の幅広支脚・ポケット部Ｓ２の上方に、上に位置する容器の幅広ポケット・支脚部Ｓ１が位置するように配置すると、下に位置する容器の幅広ポケット・支脚部Ｓ１の幅広のポケットｐ１に、上に位置する容器の幅広支脚・ポケット部Ｓ２の幅広の支脚ｃ２が、また、下に位置する幅広支脚・ポケット部Ｓ２の幅狭のポケットｐ２に、上に位置する幅広ポケット・支脚部Ｓ１の幅狭の支脚ｃ１が、それぞれ挿入されることになり、従って、上に位置する容器の略半分が、下に位置する容器の内部に嵌め込まれてネスティングされることになる。
【００１３】
次に、図７及び図８を用いて、上に位置する容器Ｂｕを、下に位置する容器Ｂｂのフランジ３に沿ってスライドさせながらスタッキングする、所謂、スライドスタッキングについて説明する。
【００１４】
図７に示されているように、上に位置する容器Ｂｕの一方の短側壁２ｄを持ち上げて、長側壁２ａ、２ｂの短側壁２ｃ側に位置する幅広ポケット・支脚部Ｓ１の支脚ｃ１が、下に位置する容器Ｂｂの長側壁２ａ、２ｂ側のフランジ３の中程に位置するように、上に位置する容器Ｂｕを、下に位置する容器Ｂｂに載置する。この際、上に位置する容器Ｂｕの長側壁２ａ、２ｂに配設された幅広ポケット・支脚部Ｓ１の支脚ｃ１が、下に位置する容器Ｂｂのフランジ３に載置されるとともに、上に位置する容器Ｂｕの短側壁２ｃ側の底部１は、下に位置する容器Ｂｂの中に入っており、また、上に位置する容器Ｂｕの短側壁２ｄ側の底部１は、下に位置する容器Ｂｂの短側壁２ｄ側のフランジ３に載置されている。従って、上に位置する容器Ｂｕは、図７及び図８において、左下がりに傾斜している。
【００１５】
次いで、上に位置する容器Ｂｕの短側壁２ｃを、下に位置する容器Ｂｂの短側壁２ｃ方向に移動させるが、上に位置する容器Ｂｕの短側壁２ｃに配設された幅広支脚・ポケット部Ｓ２の支脚ｃ２が、下に位置する容器Ｂｂのフランジ３に載置される直前においては、上に位置する容器Ｂｕの短側壁２ｃに配設された支脚ｃ２の下端角部ｃ２ａが、下に位置する容器Ｂｂの短側壁２ｃの内壁２ｃ’に当接することになり、また、上に位置する容器Ｂｕの上記の支脚ｃ２の下端角部ｃ２ａが、下に位置する容器Ｂｂの短側壁２ｃの内壁２ｃ’に当接した時点においては、上に位置する容器Ｂｕの短側壁２ｄ側に位置する底部１ａは、下に位置する容器Ｂｂの短側壁２ｄ側のフランジ３に、依然として載置されている。このように、上に位置する容器Ｂｕの短側壁２ｃ側の底部１ｂは、下に位置する容器Ｂｂの中に入っており、また、上に位置する容器Ｂｕの短側壁２ｄ側に位置する底部１ａは、下に位置する容器Ｂｂの短側壁２ｄ側のフランジ３に載置されているので、従って、上に位置する容器Ｂｕは、図７及び図８において、左下がりに傾斜しているが、この傾斜角度（θ）が大きいほど、上に位置する容器Ｂｕの短側壁２ｃに配設された幅広支脚・ポケット部Ｓ２の支脚ｃ２が、下に位置する容器Ｂｂ内に深く入り込むことになり、従って、上に位置する容器Ｂｕの短側壁２ｃに配設された幅広支脚・ポケット部Ｓ２の支脚ｃ２が、下に位置する容器Ｂｂのフランジ３へ乗り上げることが困難になり、スムースなスライドスタッキングができないという問題がある。
【００１６】
本発明の目的は、上述した従来の運搬用容器が有する課題を解決し、スムースなスライドスタッキングが可能な運搬用容器を提供することにある。
【００１７】
【課題を解決するための手段】
本発明は、上述した目的を達成するために、スライドスタッキングする際に、スライド方向の前方に位置する上に位置する運搬用容器の支脚が入り込むように、スライド方向の前後に位置するフランジに、前記運搬用容器の内側が開放された凹部を形成するとともに、スタッキング状態においては、前記凹部の底面に、スライド方向の前後に位置する支脚が載置されるように構成したものである。
【００１８】
【実施例】
以下に、図１〜図４を用いて、本発明の実施例について説明するが、本発明の趣旨を越えない限り何ら、本実施例に限定されるものではない。なお、従来の運搬用容器と共通の部材については、同一の符号を使用した。
【００１９】
上述したように、スライドスタッキングする際に、図７と同様の図３に示されているように、下に位置する容器Ｂｂと上に位置する容器Ｂｕとが、同じ向きになるように、即ち、下に位置する容器Ｂｂの幅広ポケット・支脚部Ｓ１の上方に、上に位置する容器Ｂｕの幅広ポケット・支脚部Ｓ１が位置し、また、下に位置する容器の幅広支脚・ポケット部Ｓ２の上方に、上に位置する容器の幅広支脚・ポケット部Ｓ２が位置するように配置し、次いで、上に位置する容器Ｂｕの長側壁２ａ、２ｂの短側壁２ｃ側に位置する幅広ポケット・支脚部Ｓ１の支脚ｃ１が、下に位置する容器Ｂｂの長側壁２ａ、２ｂ側のフランジ３の中程に位置するように、上に位置する容器Ｂｕを、下に位置する容器Ｂｂに載置するとともに、上に位置する容器Ｂｕの短側壁２ｄ側の底部１を、下に位置する容器Ｂｂの短側壁２ｄ側のフランジ３に載置させる。
【００２０】
上述したような状態から、上に位置する容器Ｂｕの短側壁２ｃを、下に位置する容器Ｂｂの短側壁２ｃ方向に移動させるが、上に位置する容器Ｂｕの短側壁２ｃに配設された幅広支脚・ポケット部Ｓ２の支脚ｃ２が、下に位置する容器Ｂｂのフランジ３に載置される直前においては、上に位置する容器Ｂｕの上記の支脚ｃ２の下端角部ｃ２ａが、下に位置する容器Ｂｂの短側壁２ｃの内壁２ｃ’に当接することになるが、本発明においては、上に位置する容器Ｂｕの短側壁２ｃに配設された支脚ｃ２の下端角部ｃ２ａが、下に位置する容器Ｂｂの短側壁２ｃの内壁２ｃ’に当接する直前において、上に位置する容器Ｂｕの短側壁２ｄ側に位置する底部１ａが、下方に下がるように、下に位置する容器Ｂｂの短側壁２ｄ側のフランジ３に、上に位置する容器Ｂｕの短側壁２ｄ側に位置する底部１ａが入り込むような、容器の内側が開放された凹部５を形成したものである。該凹部５は、上に位置する容器Ｂｕの短側壁２ｄ側に位置する底部１ａが入り込むように、短側壁２ｄに形成されている一対の幅広ポケット・支脚部Ｓ１のポケットｐ１間に亘たって形成する。また、同様に、上に位置する容器Ｂｕの短側壁２ｃに配設されている幅広支脚・ポケット部Ｓ２の支脚ｃ２の下端部が入り込むように、下に位置する容器Ｂｂの短側壁２ｃ側のフランジ３にも、容器の内側が開放された凹部６が形成されている。該凹部６は、下に位置する容器Ｂｂの短側壁２ｃに配設された幅広支脚・ポケット部Ｓ２の支脚ｃ２の外側側面ｃ２ｂ間に亘たって形成されている。
【００２１】
上述したように、上に位置する容器Ｂｕの短側壁２ｃに配設されている幅広支脚・ポケット部Ｓ２の支脚ｃ２の下端角部ｃ２ａが、下に位置する容器Ｂｂの短側壁２ｃの内壁２ｃ’に当接する直前において、上に位置する容器Ｂｕの短側壁２ｄ側に位置する底部１ａが、下に位置する容器Ｂｕの短側壁２ｄ側のフランジ３に形成された凹部５に入り込むので、従って、下に位置する容器Ｂｂの長側壁２ａ、２ｂのフランジ３に載置されている、上に位置する容器Ｂｕの長側壁２ａ、２ｂに配設された幅広ポケット・支脚部Ｓ１の支脚ｃ１を支点として、上に位置する容器Ｂｕが、時計方向に回動することになる。この回動により、上に位置する容器Ｂｕの短側壁２ｃに配設された幅広支脚・ポケット部Ｓ２の支脚ｃ２の下端角部ｃ２ａが上方に移動し、下に位置する容器Ｂｂ内への入り込み量が少なくなるとともに、下に位置する容器Ｂｂの短側壁２ｃの内壁２ｃ’に当接する直前において、上に位置する容器Ｂｕの短側壁２ｃに配設された幅広支脚・ポケット部Ｓ２の支脚ｃ２の下端角部ｃ２ａが、下に位置する容器Ｂｕの短側壁２ｃ側のフランジ３に形成された凹部６の底面６ａとほぼ同じ高さになるので、上に位置する容器Ｂｕの短側壁２ｃに配設された幅広支脚・ポケット部Ｓ２の支脚ｃ２が、容易に、下に位置する容器Ｂｂの短側壁２ｃ側のフランジ３に形成された凹部６の底面６ａに載置されることになり、従って、スライドスタッキングをスムースに行うことができる。
【００２２】
なお、上に位置する容器Ｂｕの長側壁２ａ、２ｂの短側壁２ｄ側に位置する幅広ポケット・支脚部Ｓ２の支脚ｃ２が、下に位置する容器Ｂｂの長側壁２ａ、２ｂ側のフランジ３の中程に位置するように、上に位置する容器Ｂｕを、下に位置する容器Ｂｂに載置するとともに、上に位置する容器Ｂｕの短側壁２ｃ側の底部１を、下に位置する容器Ｂｂの短側壁２ｃ側のフランジ３に載置させ、次いで、上に位置する容器Ｂｕの短側壁２ｄを、下に位置する容器Ｂｂの短側壁２ｄ方向に移動させるようにした、上述したスライドスタッキングと逆方向のスライドスタッキングを行うこともできる。
【００２３】
スライドスタッキングの際に、下に位置する容器の上面が平らなフランジ３に、上に位置する容器の長側壁２ａ、２ｂに配設された幅狭の支脚ｃ１或いは幅広の支脚ｃ２を載置するとともにスライドさせる例を用いて、本発明の実施例について説明したが、容器の長側壁２ａ、２ｂ側に位置するフランジ３に、長側壁２ａ、２ｂに沿って凹溝を形成し、該凹溝に、上に位置する容器の長側壁２ａ、２ｂに配設された幅狭の支脚ｃ１或いは幅広の支脚ｃ２を挿入するとともにスライドさせて、スライドスタッキングすることもできる。このように、フランジ３に、長側壁２ａ、２ｂに沿って凹溝を形成し、該凹溝に、上に位置する容器の長側壁２ａ、２ｂに配設された幅狭の支脚ｃ１或いは幅広の支脚ｃ２を挿入してスライドさせる場合には、スライド方向前方に位置する短側壁２ｃ、２ｄに配設された支脚ｃ１、ｃ２が、より深く容器内に入り込み、スムースなスライドスタッキングがより困難になるが、上述したように、短側壁２ｃ、２ｄに位置するフランジに、凹部５、６を形成することにより、スムースなスライドスタッキングが可能となる。
【００２４】
【発明の効果】
本発明は、以上説明したような構成を有するので、以下に記載する効果を奏するものである。
【００２５】
スライドスタッキングする際に、スライド方向の前方に位置する上に位置する容器の支脚及びスライド方向の後方に位置する前記容器の底部が入り込むように、スライド方向の前後に位置するフランジに、凹部を形成したことにより、スムースなスライドスタッキングを行うことができる。
【図面の簡単な説明】
【図１】図１は本発明の運搬用容器の斜視図である。
【図２】図２は本発明の運搬用容器の平面図である。
【図３】図３は本発明の運搬用容器のスライドスタッキングを説明するための運搬用容器の斜視図である。
【図４】図４は本発明の運搬用容器のスライドスタッキングを説明するための下に位置する運搬用容器の垂直断面を含む正面図である。
【図５】図５は従来の運搬用容器の斜視図である。
【図６】図６は従来の運搬用容器の平面図である。
【図７】図７は従来の運搬用容器のスライドスタッキングを説明するための運搬用容器の斜視図である。
【図８】図８は従来の運搬用容器のスライドスタッキングを説明するための下に位置する運搬用容器の垂直断面を含む正面図である。
【符号の説明】
Ｓ１・・・・・・・幅広ポケット・支脚部
Ｓ２・・・・・・・幅広支脚・ポケット部
ｃ１、ｃ２・・・・支脚
ｐ１、ｐ２・・・・ポケット
１・・・・・・・・底部
２・・・・・・・・側壁
２ａ、２ｂ・・・・長側壁
２ｃ、２ｄ・・・・短側壁
３・・・・・・・・フランジ
５、６・・・・・・凹部
【図１】
0004093640.tif 000002
【図２】
0004093640.tif 000003
【図３】
0004093640.tif 000004
【図４】
0004093640.tif 000005
【図５】
0004093640.tif 000006
【図６】
0004093640.tif 000007
【図７】
0004093640.tif 000008
【図８】
0004093640.tif 000009